(57)【特許請求の範囲】
【請求項１】
打設済みの堤形状のコンクリート構築物の堤頂部に連続して、前記堤頂部の幅方向の一方側に張り出すコンクリート張出部を複数工程に分けて順次移動しながら施工するための張出部用型枠を前記堤形状のコンクリート構築物の法面側よりブラケット支持部を介して支保するブラケット支保工であって、
前記コンクリート張出部の一工程部分を施工する張出部型枠を支持する主桁と、
この主桁に上方より連結し、主桁を吊り上げる際に用いる吊り桁と、
この主桁に下方より連結して支持する脚部と、を備え、
前記ブラケット支持部は、
前記堤形状のコンクリート構築物の法面側壁面に、前記移動方向に所定の間隔で設置された複数のアンカーブラケットと、
少なくとも前記主桁の下端部に設けられ、ジャッキボルト構造により前記アンカーブラケットに対して着脱自在とする連結部材と、を有する
ことを特徴とする張出部用型枠のブラケット支保工。
【請求項２】
前記連結部材は、あり溝を有し、
前記ジャッキボルト構造は、押しボルトを有し、
この押しボルトは、
その一端に前記あり溝に係合する頭部と、
他端に前記アンカーブラケット側に対し回転させて螺合させるための回転作用部と、
前記頭部と前記回転作用部との間にわたって軸側面に螺設された雄ねじ部と、を有し、
前記アンカーブラケットは、前記雄ねじ部と螺合する雌ねじ部を有する、
請求項１に記載の張出部用型枠のブラケット支保工。
【請求項３】
前記アンカーブラケットは、前記堤形状のコンクリート構築物の法面側壁面に対して、着脱自在に設置されている請求項１または２に記載の張出部用型枠のブラケット支保工。
【請求項４】
前記主桁と前記吊り桁に回転自在に連結し、前記吊り桁を吊り上げる際に、前記主桁の傾き及び揺動を防止するバランス桁を備えた請求項１〜３のいずれかに記載の張出部用型枠のブラケット支保工。
【請求項５】
請求項１〜４のいずれかに記載の張出部用型枠のブラケット支保工を用いて、打設済みの堤形状のコンクリート構築物の堤頂部に連続して、前記堤頂部の幅方向の一方側に張り出すコンクリート張出部を施工するための張出部用型枠を複数工程に分けて順次移動しながら施工するコンクリート張出部の施工方法において、
前記ブラケット支持部を介して、前記ブラケット支保工を堤形状のコンクリート構築物の堤頂部に設置する工程と、
前記コンクリート張出部を構築する工程と、
前記ブラケット支持部を介して、前記ブラケット支保工を堤形状のコンクリート構築物の堤頂部から取り外す工程と、
前記コンクリート張出部が全て構築されていなければ、前記ブラケット支保工を未構築の位置に移動させて前記堤頂部に設置し、前記コンクリート張出部を構築する工程と、
を含むことを特徴とするコンクリート張出部の施工方法。
【発明の詳細な説明】
【技術分野】
【０００１】
本発明は、打設済みの堤形状のコンクリート構築物の頂部に連続して、前記頂部の幅方向の一方側に張り出すコンクリート張出部を順次移動しながら施工するための技術に関する。
【背景技術】
【０００２】
例えば、堤形状のコンクリート構築物であるダムの堤頂部に連続して下流側あるいは上流側に施工されるコンクリート張出部の施工は、堤形状のダムの法面から組立・設置された足場支保工を利用してパイプ支保工を組み、１回のコンクリート打設作業区間毎に、張出部用型枠を設け、これら張出部用型枠内部にコンクリートを流し込み、その後コンクリートの硬化を待って脱型を行った後、前記張出部用型枠を横移動させ、また足場支保工を利用してパイプ支保工を組む等を繰り返すことによって施工を行っていた。
【特許文献１】特開２００２−２４２１６２号公報
【発明の開示】
【発明が解決しようとする課題】
【０００３】
しかしながら、上記従来方法（足場支保工）の場合には、足場支保工およびパイプ支保工の組立・設置作業に多大な手間と時間を要し、足場支保工の容積が大きくなるとともに、設置期間も長期間となる。
【０００４】
また、型枠転用時の横移動に際して、その都度足場支保工を利用してパイプ支保工を組む等の作業を繰り返すこととなり施工が非常に煩雑である。さらには、型枠、足場支保工およびパイプ支保工の組立・解体作業が人力による高所作業となるため、多くの人手と作業日数を要し、また危険作業が多くなる、などの問題があった。
【０００５】
本発明は、このような問題点を解決するためになされたものであり、打設済みの堤形状のコンクリート構築物の堤頂部に連続して、コンクリート張出部を施工するに当たり、一連のコンクリート張出部の施工工程を、足場支保工およびパイプ支保工無しで施工できるようにした張出部用型枠のブラケット支保工およびコンクリート張出部の施工方法を提供することを課題とする。
【課題を解決するための手段】
【０００６】
本発明は、前述の課題を解決するために、以下の手段を採用した。
すなわち、本発明の張出部用型枠のブラケット支保工は、打設済みの堤形状のコンクリート構築物の堤頂部に連続して、前記堤頂部の幅方向の一方側に張り出すコンクリート張出部を複数工程に分けて順次移動しながら施工するための張出部用型枠を前記堤形状のコンクリート構築物の法面側よりブラケット支持部を介して支保するブラケット支保工であって、
前記コンクリート張出部の一工程部分を施工する張出部型枠を支持する主桁と、
この主桁に上方より連結し、主桁を吊り上げる際に用いる吊り桁と、
この主桁に下方より連結して支持する脚部と、を備え、
前記ブラケット支持部は、
前記堤形状のコンクリート構築物の法面側壁面に、前記移動方向に所定の間隔で設置された複数のアンカーブラケットと、
少なくとも前記主桁の下端部に設けられ、ジャッキボルト構造により前記アンカーブラケットに対して着脱自在とする連結部材と、を有する
ことを特徴とする。
【０００７】
また、本発明の張出部用型枠のブラケット支保工において、
前記連結部材は、あり溝を有し、
前記ジャッキボルト構造は、押しボルトを有し、
この押しボルトは、
その一端に前記あり溝に係合する頭部と、
他端に前記アンカーブラケット側に対し回転させて螺合させるための回転作用部と、
前記頭部と前記回転作用部との間にわたって軸側面に螺設された雄ねじ部と、を有し、
前記アンカーブラケットは、前記雄ねじ部と螺合する雌ねじ部を有する構成としてもよい。
【０００８】
更に、本発明の張出部用型枠のブラケット支保工において、
前記アンカーブラケットは、前記堤形状のコンクリート構築物の法面側壁面に対して、着脱自在に設置されている構成としてもよい。
【０００９】
更に、本発明の張出部用型枠のブラケット支保工において、
前記主桁と前記吊り桁に回転自在に連結し、前記吊り桁を吊り上げる際に、前記主桁の傾き及び揺動を防止するバランス桁を備えた構成としてもよい。
【００１０】
更に、本発明のコンクリート張出部の施工方法は、
本発明の張出部用型枠のブラケット支保工を用いて、打設済みの堤形状のコンクリート構築物の堤頂部に連続して、前記堤頂部の幅方向の一方側に張り出すコンクリート張出部を施工するための張出部用型枠を複数工程に分けて順次移動しながら施工するコンクリート張出部の施工方法において、
前記ブラケット支持部を介して、前記ブラケット支保工を堤形状のコンクリート構築物の堤頂部に設置する工程と、
前記コンクリート張出部を構築する工程と、
前記ブラケット支持部を介して、前記ブラケット支保工を堤形状のコンクリート構築物の堤頂部から取り外す工程と、
前記コンクリート張出部が全て構築されていなければ、前記ブラケット支保工を未構築の位置に移動させて前記堤頂部に設置し、前記コンクリート張出部を構築する工程と、
を含むことを特徴とする。
【発明の効果】
【００１１】
本発明によれば、少なくとも連結部材を主桁の下端部に設けて、ジャッキボルト構造によりアンカーブラケットに対して連結部材を着脱自在とする構成としたことにより、打設済みの堤形状のコンクリート構築物の堤頂部に連続して、コンクリート張出部を施工するに当たり、一連のコンクリート張出部の施工工程を、従来施工で必須だった足場支保工およびパイプ支保工を行わないで施工できるようになり、支保工の組立・解体作業が安全且つ容易にできる。
【発明を実施するための最良の形態】
【００１２】
以下、本発明の好適な実施の形態について、添付の図１〜図８を参照して説明する。
図１は本発明に係る張出部用型枠のブラケット支保工をダム頂部に設置した状態の側面図（一方、図８は本発明に係る張出部用型枠のブラケット支保工をダム頂部から取り外した状態の側面図）であり、図２はダム頂部の斜視図である。また、図３は図１のブラケット支持部の一部拡大図、図４は図３のＺ矢視図、図５はブラケット支持部の説明図であり、スライドブラケットを示す。また、図６もブラケット支持部の説明図であり、押ボルトを示す。図７はコンクリート張出部の施工方法のフローチャートである。
【００１３】
以下、本発明の実施の形態を図面に基づいて詳細に説明する。なお、この実施の形態では、打設済みの堤形状のコンクリート構築物１がダムであり、このダムの堤頂部２が幅５ｍのものを下流方向に幅３ｍ張り出して幅計８ｍの道路を施工する場合で説明する。
【００１４】
［張出部用型枠の支保工（ブラケット支保工３という）の構造の説明］
まず、ブラケット支保工３を説明する。
ブラケット支保工３は、図１に示されるように、打設済み堤形状のダム１の堤頂部の上面に連続して、逆Ｌ字状に側方に張り出した張出部２ａを含むコンクリート頂壁部２を順次移動しながら施工するための装置である（図２の２点鎖線部分（２）参照）。
【００１５】
ブラケット支保工３は、主要には張出部２ａの型枠５を支持する主桁３ａと、主桁３ａを下部より支える脚部３ｂと、この主桁３ａに上方より連結し、主桁３ａを吊り上げる際に用いる吊り桁３ｃと、主桁３ａと吊り桁３ｃに回転自在に連結し、吊り桁３ｃを吊り上げる際に、主桁３ａの傾き及び揺動を防止するバランス桁３ｄからなるが、型枠工、鉄筋工およびコンクリート打設工などの一連の施工工程を行うための作業用足場３ｅが主桁３ａの下部に吊り下げられて設置されている。また、作業者が後述するブラケット支持部４を着脱するための作業用足場３ｅも主桁３ａの下部に吊り下げられて設置されている。
【００１６】
［ブラケット支持部の説明］
主桁３ａおよびまたは脚部３ｂには、図３に示すように、下部先端（下端部）に一山クレビス３１が形成されている。この一山クレビスは後述するアンカーブラケット４０に突設された二山クレビス４１，４１とピン４９を介して係合する。なお、二山クレビス４１，４１にはピン４９を挿入する長穴４１ｂ，４１ｂが設けられており、ピン４９及び一山クレビス３１は長穴４１ｂ，４１ｂに規制され二山クレビス４１，４１に対し図３の上下方向に移動自在である。
【００１７】
［アンカーブラケット４０］
アンカーブラケット４０は、図３および図４（図３のＺ矢視図）に示すように、ベースプレートに対し直交して設けられた二山クレビス４１，４１と、この二山クレビス４１，４１との間に設けられたナット部４２と、二山クレビス４１，４１を補強する補強材４３，４４とから構成される。なお、二山クレビス４１，４１との間には、後述するスライドブラケットを上下方向に規制するガイド部材４１ａ，４１ａが設けられている。
【００１８】
［スライドブラケット］
スライドブラケットは、図５（ａ）の正面図、図５（ｂ）の側面図に示すように、２枚の長方形プレート４６と、この２枚のプレート４６の間の下部に固定されたフック部４７とから構成される。フック部４７には後述する押しボルト４８の頭部４８ａを係合するためのあり溝４７ａが形成されている。また、２枚の長方形プレート４６が二山クレビス４１，４１との間に設けられたガイド部材４１ａ，４１ａの間に挿入されてピン４９及び一山クレビス３１と共に上下方向のみ移動可能に規制される。
【００１９】
［押しボルト４８］
押しボルト４８は、図６に示すように、ボルトの頭である頭部４８ａと、雄ねじ部４８ｂと、先端が押しボルト４８を工具に係合して回転させるために断面形状が四角形となる作用部４８ｃとから構成される。このように、ブラケット支持部はジャッキボルト構造となっており、押しボルト４８を操作することで、型枠５を組み立てる際は主桁３ａ（一山クレビス３１）をガイド部材４１ａ，４１ａを介して二山クレビス４１，４１に対し上方向に移動させ、型枠５から離脱させる際は主桁３ａ（一山クレビス３１）をガイド部材４１ａ，４１ａを介して二山クレビス４１，４１に対し下方向に移動させることができる。
【００２０】
［コンクリート張出部の施工方法］
この実施の形態に係る張出部用型枠のブロック支保工３は、ダム（打設済みの堤形状のコンクリート構築物）１の頂部に連続して、頂部の幅方向の一方側に張り出すコンクリート張出部２ａを順次移動しながら施工する。
【００２１】
ブラケット支持部４（４ａ，４ｂ）は、ダム１の法面側壁面に対して、移動方向に所定の間隔でかつ所定区間に亘って設置される複数のアンカーブラケット４０と、主桁３ａおよび脚部３ｂの下端部とアンカーブラケット４０とをジャッキボルト構造（スライドブラケットおよび押しボルト４８）により着脱自在とする連結部材と、を有する。
【００２２】
次に、コンクリート張出部の施工方法を、図７のフローチャートに基づき説明する。
このコンクリート張出部の施工方法は、ブラケット支保工を組み立てる工程（Ｓ１）と、ブラケット支持部４を介して、ブラケット支保工３を堤形状のダム１の堤頂部に設置する工程（Ｓ２；図１参照）と、コンクリート張出部２ａの一部を構築する工程（Ｓ３）と、ブラケット支持部４を介して、ブラケット支保工３を堤形状のダム１の堤頂部から取り外す工程（Ｓ４）と、コンクリート張出部２ａが全て構築されていなければ（Ｓ５：ＮＯ）、ブラケット支保工３を未構築の位置に移動させる工程（Ｓ６；図２及び図８参照）と、コンクリート張出部２ａが全て構築されていれば（Ｓ５：ＹＥＳ）、ブラケット支保工３を解体する工程（Ｓ７）と、を含むものである。なお、ブラケット支保工３を未構築の位置に移動させる工程（Ｓ６）の後は、工程Ｓ２〜工程Ｓ４を繰り返してブラケット支保工３を堤頂部に設置し、コンクリート張出部２ａを構築する。
【００２３】
次に、コンクリート張出部２ａの一部を構築する工程（Ｓ３）を説明する。
ブラケット支保工３を堤形状のダム１の堤頂部に設置した後、張出部用型枠（スラブ型枠）５を主桁３ａの上に設置するのであるが、設置する際、根太材６を複数本等間隔に並べ、根太材６の上で張出部用型枠（スラブ型枠）５を組み立てる。
【００２４】
次に、スラブ型枠５内で張出部用の鉄筋を配筋し、スラブ型枠５内にコンクリートを打設する。そして、コンクリートが固まれば、ブラケット支持部のジャッキボルト構造により、主桁３ａを家宝へ移動させ、スラブ型枠５及び根太材６を離脱させる。
【００２５】
また、ブラケット支保工３を堤形状のダム１の堤頂部に設置する工程（Ｓ２）において、脚部３ｂの丈方向の一部に、図１に示すように、キリンジャッキ（長さ調節手段）７ｂを設けておき、キリンジャッキ７の長さを調節することで、主桁３ａの傾斜角度を調節するようにすれば、コンクリート張出部２ａの傾斜部を精度良く構築することができる。
【００２６】
また、ブラケット支保工３を堤形状のダム１の堤頂部から取り外す工程（Ｓ４）において、吊り桁３ｃとバランス桁３ｄとの連結部に、キリンジャッキ（長さ調節手段）７ａを設けておき、キリンジャッキ７の長さを調節することで、吊り桁３ｃとバランス桁３ｄとの間隔を調節するようにすれば、ブラケット支持部を離脱させ、ブラケット支保工３を取り外す際に、ブラケット支持部のジャッキボルト構造と協働させて主桁３ａを下方に下げることで型枠５と根太材６を分離させることができ、ブラケット支保工３の離脱・移動を容易にすることができる。
【図面の簡単な説明】
【００２７】
【図１】本発明に係る張出部用型枠のブラケット支保工をダム頂部に設置した状態の側面図である。
【図２】図１の斜視図である。
【図３】図１のブラケット支持部の一部拡大図である。
【図４】図３のＺ矢視図である。
【図５】スライドブラケットの説明図である。
【図６】押しボルトの説明図である。
【図７】コンクリート張出部の施工方法のフローチャートである。
【図８】本発明に係る張出部用型枠のブラケット支保工をダム頂部から取り外した状態の側面図である。
【符号の説明】
【００２８】
１  ダム（打設済みの堤形状のコンクリート構築物）
２  堤頂部
２ａ  コンクリート張出部
３  ブラケット支保工
３ａ  主桁
３ｂ  脚部
３ｃ  吊り桁
３ｄ  バランス桁
３ｃ  足場
４  支持部
５  張出部用型枠
６  根太材
７  長さ調節手段（キリンジャッキ）
３１  一山クレビス
４０  アンカーブラケット
４１  二山クレビス
４１ａ  ガイド部材
４１ｂ  長穴
４２  ナット部
４３，４４  補強材
４６  スライドブラケット
４７  フック部
４７ａ  あり溝
４８  押しボルト
４８ａ  頭部
４８ｂ  雄ねじ部
４８ｃ  作業部
４９  ピン
【図１】
0004970202.tif 000002
【図２】
0004970202.tif 000003
【図３】
0004970202.tif 000004
【図４】
0004970202.tif 000005
【図５】
0004970202.tif 000006
【図６】
0004970202.tif 000007
【図７】
0004970202.tif 000008
【図８】
0004970202.tif 000009